(57)【要約】  第１の表示装置の前面共通電極の駆動電圧の補正を、該第１の表示装置の光学的特性の１つ以上の測定の結果と、該第１の表示装置と同じ光学的応答を有する光学媒体を備える１つ以上の他の装置における前記光学特性の１つ以上の測定の結果とに従って決定すること、を含んでいる技法。
2013530424.tif 000002
【特許請求の範囲】
【請求項１】
第１の表示装置の前面共通電極（ｆｒｏｎｔ  ｃｏｍｍｏｎ  ｐｌａｎｅ  ｅｌｅｃｔｒｏｄｅ）の駆動電圧の補正を、該第１の表示装置の光学的特性の１つ以上の測定の結果と、該第１の表示装置と同じ光学的応答を有する光学媒体を備える１つ以上の他の装置における前記光学特性の１つ以上の測定の結果とに従って決定すること、を含んでいる方法。
【請求項２】
第１の表示装置と同じ光学的応答を有する光学媒体を備える１つ以上の他の装置における前記光学特性の前記測定から、前記前面共通電極の駆動電圧の変化と該変化に対応する前記光学的特性の変化との間の関係を割り出し、第１の表示装置の前記光学的特性を、前記前面共通電極の第１の駆動電圧において測定し、前記関係に基づいて第１の駆動電圧の補正を決定する、請求項１に記載の方法。
【請求項３】
前記表示装置が、ゲート電極を備えるそれぞれのトランジスタによってそれぞれ制御される複数の表示画素を備えており、前記光学的特性が、ゲート電極のオン状態からオフ状態への切り換え後の前記表示画素のうちの１つ以上の表示画素の輝度のばらつき（ｖａｒｉａｔｉｏｎ）である、請求項２に記載の方法。
【請求項４】
前記輝度のばらつきが、前記１つ以上の表示画素に誘起される電圧と、前面共通電極に印加される前記駆動電圧との間の不一致に起因する、請求項３に記載の方法。
【請求項５】
前記前面共通電極の駆動電圧の変化と該変化に対応する前記光学的特性の変化との間の前記関係が、線形な関係である、請求項２〜４のいずれかに記載の方法。
【請求項６】
前記前面共通電極の駆動電圧の変化と該変化に対応する前記光学的特性の変化との間の前記関係が、非線形な関係である、請求項２〜４のいずれかに記載の方法。
【請求項７】
前記第１の駆動電圧が、第１の表示装置の電気的特性の測定の結果に従って選択される、請求項２〜６のいずれかに記載の方法。
【発明の詳細な説明】
【技術分野】
【０００１】
本発明は、表示装置の調律のための技法に関する。一実施の形態において、本発明は、表示媒体を挟んで画素回路の反対側に位置する前面共通電極へと印加されるバイアス電圧の調律に関する。
【背景技術】
【０００２】
アクティブマトリクス型の表示装置においては、制御回路（バックプレーンとも称される）が、電圧（画素電圧）をＴＦＴアレイによって別個独立に制御することができる画素電極のアレイを備えている。理想的には、ＴＦＴのゲート電極がオン状態とオフ状態との間で切り換えられるとき、そのＴＦＴに組み合わせられた画素電極の画素電圧は、ゲート電極がオフ状態へと切り換えられた後も、オン状態からオフ状態への切り換えの時点の信号電圧に一致し続ける。しかしながら、実際には、ゲート電極と画素電極との間の寄生容量ゆえに、ゲートがオン状態とオフ状態との間で切り換えられる前および後の画素電圧の間に差が生じ得る。この電圧差は、キックバック（ゲートフィードスルー）電圧として知られ、表示装置の性能にフリッカ、残像、および輝度の一様性の低下などといった望ましくない影響を生じさせる可能性がある。
【０００３】
この問題に対処し、信頼できかつ最適な表示装置の駆動を達成する１つのやり方は、表示媒体の画素電極とは反対側の面に光学的に透明な導電面（ＣＯＭ平面と称される）を設け、この前側の導電面に実際の表示装置のキックバック電圧に一致するバイアス電圧（Ｖｃｏｍ）を印加することである。
【０００４】
装置のキックバック電圧を割り出すための１つのやり方は、前側の平面導体を電気的に浮かせ、バックプレーンを既知の信号電圧で駆動するときにこの前側の平面導体に誘起される電圧を測定することである。
【０００５】
キックバック電圧を割り出すためのもう１つのやり方は、表示装置の輝度の変化の極小が観察されるまで、固定の信号電圧（すなわち、ソース電極に印加される電圧）に対して前面駆動電圧（Ｖｃｏｍ）を変化させることである。表示装置の輝度のばらつき（ｖａｒｉａｔｉｏｎ）は、カメラまたは分光光度計によって測定可能である。
【発明の概要】
【発明が解決しようとする課題】
【０００６】
本発明の目的は、上述の前面駆動電圧（Ｖｃｏｍ）などの表示装置のための最適な電圧を決定するための代案の光学的技法を提供することにある。
【課題を解決するための手段】
【０００７】
本発明は、第１の表示装置の前面共通電極の駆動電圧の補正を、該第１の表示装置の光学的特性の１つ以上の測定の結果と、該第１の表示装置と同じ光学的応答を有する光学媒体を備える１つ以上の他の装置における前記光学特性の１つ以上の測定の結果とに従って決定すること、を含む方法を提供する。
【０００８】
一実施の形態においては、この方法が、第１の表示装置と同じ光学的応答を有する光学媒体を備える１つ以上の他の装置における前記光学特性の前記測定から、前記前面共通電極の駆動電圧の変化と該変化に対応する前記光学的特性の変化との間の関係を割り出し、第１の表示装置の前記光学的特性を、前記前面共通電極の第１の駆動電圧において測定し、前記関係に基づいて第１の駆動電圧の補正を決定すること、を含む。
【０００９】
一実施の形態においては、前記表示装置が、ゲート電極を備えるそれぞれのトランジスタによってそれぞれ制御される複数の表示画素を備えており、前記光学的特性が、ゲート電極のオン状態からオフ状態への切り換え後の前記表示画素のうちの１つ以上の表示画素の輝度のばらつきである。
【００１０】
一実施の形態においては、前記輝度のばらつきが、前記１つ以上の表示画素に誘起される電圧と、前面共通電極に印加される前記駆動電圧との間の不一致に起因する。
【００１１】
一実施の形態においては、前記前面共通電極の駆動電圧の変化と該変化に対応する前記光学的特性の変化との間の前記関係が、線形な関係である。  
【００１２】
一実施の形態においては、前記前面共通電極の駆動電圧の変化と該変化に対応する前記光学的特性の変化との間の前記関係が、非線形な関係である。
【００１３】
一実施の形態においては、前記第１の駆動電圧が、第１の表示装置の電気的特性の測定の結果に従って選択される。
【００１４】
以下で、本発明の実施の形態を、添付の図面を参照しつつ、あくまでも例として説明する。
【図面の簡単な説明】
【００１５】
【図１】本発明の実施の形態を説明するための例として使用される表示装置を示している。
【図２】本発明の実施の形態による技法における輝度のばらつき（ｄＬ）の測定結果のプロットを示している。
【図３】本発明の実施の形態による技法における輝度のばらつき（ｄＬ）の測定結果の別のプロットを示している。
【発明を実施するための形態】
【００１６】
図１を参照すると、本発明の実施の形態を説明するための例として使用される表示装置が、電気泳動表示媒体１（フロントプレーン（ｆｒｏｎｔ  ｐｌａｎｅ））と、画素駆動回路２（バックプレーン（ｂａｃｋｐｌａｎｅ））とを備えており、フロントプレーンが、バックプレーンの反対側に導電性の前面（ＣＯＭ平面）３を備えている。画素駆動回路２が、表示媒体１に隣接して位置する画素電極のアレイの各々の電位（画素電圧）を別個独立に調節して、表示媒体に画素による種々の画像を生じさせることができる薄膜トランジスタ（ＴＦＴ）のアレイを備えている。
【００１７】
所与の画素電極の画素電圧は、通常は、該当のＴＦＴのゲート電極がオフ状態からオン状態へと切り換えられるときにこのＴＦＴのソース電極に印加される信号電圧によって決定される。ゲート電極は、表示装置のフレームレートまたはリフレッシュレートを決定する頻度でオン／オフ切り換えされる。理想的には、ゲート電極が「オフ」状態である期間について、画素電極は、ゲート電極が「オン状態」から現在の「オフ」状態へと最も直近に切り換わったときの電位を保ち続ける。しかしながら、ＴＦＴの画素電極とゲート電極との間の寄生容量ゆえに、画素電極の電位が、ゲート電極が「オン」状態から「オフ」状態へと切り換えられた後に変化する。この電位の変化が、キックバック電圧と呼ばれる。上述のように、このような表示装置を信頼できかつ最適な表示装置の駆動のために動作させる１つのやり方は、導電性のフロントプレーン３をキックバック電圧に一致する電圧にバイアスさせることである。
【００１８】
本発明のこの実施の形態においては、表示装置の設計の光学的挙動の特徴が前もって定義される。換言すると、表示装置の設計について、輝度のばらつきがＶｃｏｍ電圧の変化につれてどのように変化するかという特徴が、事前に明らかにされる。この特徴は、同じ光学的応答を有する光学媒体を備えた１つ以上の表示装置において種々のＶｃｏｍ電圧について所与の長さの試験時間にわたって輝度がどのように変化するかを測定することによって、明らかにすることができる。試験時間の選択は、高いＶｃｏｍ調律精度の実現と、効率的な試験プロセスの実現との間の妥協である。所与の調律精度を達成するために必要な試験時間の長さは、光学媒体の応答速度に依存し、媒体の応答速度が遅いほど、所与の調律精度の達成に必要な試験時間は長くなる。これらの測定結果から、表示装置の設計について、Ｖｃｏｍ電圧の変化と対応する輝度のばらつきの様相の変化との間の関係を導出することができる。図２が、いくつかの異なるＶｃｏｍ電圧について、輝度のばらつきの測定結果のプロットを示している。測定対象の表示装置の設計が、試験されたＶｃｏｍ電圧の範囲において線形な挙動を有することを見て取ることができる。輝度のばらつきｄＬ＊は、画素に誘起されるキックバック電圧と媒体を駆動する前面ＣＯＭに印加されるＣＯＭ電圧との間の不一致に起因して輝度が時間とともにどのように変化するかの指標である。キックバック電圧は、ゲート電極がオン状態からオフ状態へと切り換えられることによって形成される。これらの測定結果から導出される輝度ばらつき（ｄＬ＊）とＶｃｏｍ電圧との間の関係が、図２に式として表現されており、ここでｙが輝度のばらつきであり、ｘがＶｃｏｍ電圧である。同じ測定結果が、図３においては、ｄＬ＊＝０となるＶｃｏｍからのＶｃｏｍのずれに対する輝度のばらつき（ｄＬ＊）のプロットとして示され、さらにｙが輝度のばらつき（ｄＬ＊）であり、ｘがｄＬ＊＝０となるＶｃｏｍからのＶｃｏｍのずれである式として示されている。
【００１９】
表示装置の設計における光学媒体の挙動の特徴の定義を、より広いＶｃｏｍの範囲に広げることができる。この特定の光学媒体（電気泳動）の例において、最適なＶｃｏｍ電圧からのずれが小さい場合は、ｄＬ＊の測定値が線形な関係を有する一方で、最適なＶｃｏｍ電圧からのずれが大きい場合は、ｄＬ＊の測定値がこの線形な関係から逸脱し始めることが明らかになっている。非線形の関係について、多項式の当てはめが、輝度のばらつきとＶｃｏｍ電圧との間の関係の正確な表現をもたらすと考えられる。
【００２０】
本技法の第２の部分は、上述のように特徴が明らかにされた同じ設計による特定の装置について、Ｖｃｏｍ駆動電圧の調律を行なうことを含む。ｄＬ＊のただ１つの測定が、任意のＶｃｏｍ駆動電圧について行なわれ、上述の特徴の測定から導出される全体的な関係に従って、前記任意のＶｃｏｍ駆動電圧において測定されたｄＬ＊からｄＬ＊＝０への移行に必要な量だけＶｃｏｍ駆動電圧が調節される。一変種によれば、上述の種類の電気的な方法によって決定される大まかに調律されたＶｃｏｍ駆動電圧を、任意のＶｃｏｍ駆動電圧の代わりに使用することができる。
【００２１】
この技法は、本明細書の導入部分で上述した電気的な方法よりも正確になることが明らかになっている。この精度の改善は、ＣＯＭ平面が駆動されていないときに顕著である漏れの経路ゆえに前側の導電性のＣＯＭ平面の完璧な電気的絶縁の達成が難しいことに起因すると考えられる。上述の電気的な技法に対する上述の光学的な技法のさらなる利点は、測定が表示装置の重要部分、すなわち視覚表示領域だけに関係し、補正の措置を必要としないこの重要部分の外部の非一様性／欠陥の影響を受けない点にある。
【００２２】
また、上述の技法によれば、装置のＶｃｏｍ駆動電圧の調律のプロセスが、Ｖｃｏｍ駆動電圧を調律すべき装置についてｄＬ＊の測定をただ１回だけ行なえばよいため、比較的迅速である。
【００２３】
本発明の実施の形態による技法を説明するために、電気泳動表示媒体の例を選択したが、同じ技法を、他の種類の表示装置にも適用することが可能である。
【００２４】
明示的に上述した変更に加え、上述の実施の形態について種々の他の変更が本発明の技術的範囲において可能であることは、当業者にとって明らかであろう。
【図１】
2013530424.tif 000003
【図２】
2013530424.tif 000004
【図３】
2013530424.tif 000005
【国際調査報告】
2013530424.tif 000006
2013530424.tif 000007